(57)【要約】      （修正有）【課題】係止スリットに対する綴じ片先端部の係合状態を、より確実に維持することができる冊子用台紙を提供する。【解決手段】この冊子用台紙１は、表側部２と、裏側部３との間に中央折り線６を形成してなるものであって、表側部２には、切り込み１１が形成され、切り込み１１の内側部分を前面側へ突出させることにより、直線状中間部と、それよりも横幅寸法が大きい円弧状先端部とからなる綴じ片が形成され、裏側部３には、円弧状部と延長部とを有する係止スリット１２が形成され、延長部は、円弧状部の中間位置において、中央折り線６側へ張り出したような形状となっており、その横幅寸法が、直線状中間部よりも僅かに大きく設定されていることを特徴とする。【選択図】図１
0003162658.tif 000002
【実用新案登録請求の範囲】
【請求項１】
表側部と裏側部との間に中央折り線を形成してなる冊子用台紙であって、
前記表側部には、切り込みが形成され、当該切り込みの内側部分を前面側へ突出させることにより、直線状中間部と、それよりも横幅寸法が大きい先端部とからなる綴じ片が形成され、
前記裏側部には、円弧状部と延長部とを有する係止スリットが形成され、
前記延長部は、前記円弧状部の中間位置において、前記中央折り線側へ張り出したような形状となっており、その横幅寸法が、前記綴じ片の直線状中間部よりも僅かに大きく設定され、前記綴じ片の先端部を前記係止スリットから裏側へ差し込んだ際に、前記直線状中間部が、前記延長部の下側の溝内に嵌り込み、前記綴じ片の側方への移動が規制されるように構成されていることを特徴とする冊子用台紙。
【考案の詳細な説明】
【技術分野】
【０００１】
本考案は、複数枚の紙葉を、金具や合成樹脂系接着剤を用いずに、台紙の上辺付近に形成した紙製綴じ片により綴じることができ、廃棄時に公害問題の発生を抑制できるようにした冊子用の台紙に関する。
【背景技術】
【０００２】
複数枚の紙葉を綴じてなる冊子には、カレンダーやノート等をはじめとして様々な種類のものがあり、また、紙葉を綴じるための構造についても、様々な種類のものがある。例えば、複数枚のカレンダー紙葉を綴じてなるカレンダーには、壁掛け式のものや、水平面上において自立させることができる卓上カレンダーなどが存在し、また、紙葉を綴じるための構造としては、台紙の上辺に、金属製、合成樹脂製、又は、紙製のリング（或いは綴じ具）を取り付け、複数枚の紙葉を、当該リング等によって綴じ込んだ構造のものが知られている。
【０００３】
これらのうち、金属製リング、或いは、合成樹脂製リングを用いた冊子は、廃棄に際して焼却処理できないという問題や、焼却すると有害ガスが発生して環境衛生上好ましくないという問題がある。一方、紙製のリング或いは綴じ具を用いたものは、焼却処理を行っても有害ガスは発生せず、また、紙製品のリサイクルのために回収する場合にも、分別が不要であるため好適である。
【先行技術文献】
【特許文献】
【０００４】
【特許文献１】特開２００６−２４７８６５号公報
【特許文献２】実用新案登録第３１１１７０６号公報
【特許文献３】実用新案登録第３１２２５０２号公報
【特許文献４】実用新案登録第３１３２１１４号公報
【特許文献５】意匠登録第１２６３２４８号公報
【特許文献６】意匠登録第１２６４４４８号公報
【考案の概要】
【考案が解決しようとする課題】
【０００５】
上記特許文献１〜６には、紙製のリング或いは綴じ具を用いた冊子（卓上カレンダー）が開示されている。これらのうち、特許文献４に開示されている卓上カレンダーは、複数枚のカレンダー紙葉と、台紙とからなるものであって、台紙表側部に切り込みを形成し、この切り込みの内側の部分を台紙から突出させて、これを綴じ片とし、この綴じ片を、カレンダー紙葉の上辺付近に形成した綴じ孔に通したうえでリング状に湾曲させ、その先端を、台紙裏側部の上辺付近に形成した円弧状の係止スリットに差し込んで係止させることにより、カレンダー紙葉を綴じるようにしたものである。
【０００６】
この卓上カレンダーにおいては、綴じ片の先端部分に、側方へ張り出した部分が形成されており、これにより、横幅寸法が他の部分よりも大きくなっている。また、台紙裏側部の円弧状の係止スリットの横幅寸法は、綴じ片の先端部分よりも僅かに大きく設定されているため、綴じ片の先端部分を差し込むことができるようになっている。但し、一旦差し込むと、綴じ片先端の側方張出部分が係止スリットの上縁部に引っ掛かり、簡単には外れないような状態となる。
【０００７】
しかしながらこの卓上カレンダーにおいては、台紙として使用する紙の厚さや硬さ等により、綴じ片先端が係止スリットから脱落してしまうことがあるという問題がある。具体的には、図７（１）に示すように、綴じ片５３先端の側方張出部分６９ａ，６９ｂが係止スリット６２の上縁部に引っ掛かった状態であっても、綴じ片５３に対し側方から（例えば、図７において左側から右側へ向かって）外力が加わった場合、綴じ片５３の位置は側方へ（側方張出部分６９ａ側の方向へ）ずれることになるが、このとき綴じ片５３は、係止スリット６２の円弧に沿って、始端部６８側へ移動することになる。そうすると、図７（２）に示すように、反対側の側方張出部分６９ｂの係合（係止スリット６２の上縁部に対する係合）が外れてしまうことがあり、この状態で綴じ片５３が反対側（図７において左側）へ移動した場合、図７（３）に示すように、側方張出部分６９ｂが、係止スリット６２から台紙の表側へ抜け出てしまい、最終的に綴じ片５３が脱落してしまうことになる。
【０００８】
本考案は、従来の冊子における上記のような問題を解決すべくなされたものであって、係止スリットに対する綴じ片先端部の係合状態を、より確実に維持することができる冊子用台紙を提供することを目的とする。
【課題を解決するための手段】
【０００９】
本考案に係る冊子用台紙は、表側部と裏側部との間に中央折り線を形成してなるものであって、表側部には、切り込みが形成され、当該切り込みの内側部分を前面側へ突出させることにより、直線状中間部と、それよりも横幅寸法が大きい先端部とからなる綴じ片が形成され、裏側部には、円弧状部と延長部とを有する係止スリットが形成され、延長部は、円弧状部の中間位置において、中央折り線側へ張り出したような形状となっており、その横幅寸法が、綴じ片の直線状中間部よりも僅かに大きく設定され、綴じ片の先端部を係止スリットから裏側へ差し込んだ際に、直線状中間部が、延長部の下側の溝内に嵌り込み、綴じ片の側方への移動が規制されるように構成されていることを特徴としている。
【考案の効果】
【００１０】
本考案に係る冊子用台紙は、綴じ片を係止スリット内へ差し込んで係止させた状態を安定的に維持することができ、側方への外力の作用等に起因する綴じ片の脱落を好適に防止することができる。
【図面の簡単な説明】
【００１１】
【図１】図１は、本考案に係る冊子用台紙１の展開図である。
【図２】図２は、図１に示した冊子用台紙１に形成されている切り込み１１の拡大図である。
【図３】図３は、図１に示した冊子用台紙１に形成されている係止スリット１２の拡大図である。
【図４】図４は、図１に示した冊子用台紙１を、所定の位置で折り曲げて組み立てた状態を示す図である。
【図５】図５は、図１に示した冊子用台紙１の組立方法の説明図であって、裏側部３、係止スリット１２、及び、綴じ片２３の拡大図である。
【図６】図６は、図１に示した冊子用台紙１の組立方法の説明図であって、裏側部３、係止スリット１２、及び、綴じ片２３の拡大図である。
【図７】図７は、従来の冊子用台紙における係止スリット６２に対する綴じ片５３の係合状態等を示す図である。
【考案を実施するための形態】
【００１２】
以下、添付図面に沿って、本考案に係る冊子用台紙の実施形態（卓上カレンダー用台紙への適用例）について説明する。図１は、本考案に係る冊子用台紙１の展開図である。この台紙１は、厚さ０．７ｍｍの厚紙を所定の形状に裁断し、型押しすることにより、所定の位置に折り線を形成してなるものであり、表側部２、裏側部３、第１の底面部４、第２の底面部５とによって構成されている。尚、図１において、６は中央折り線、７は第１の底部側折り線、８は第２の底部側折り線である。
【００１３】
表側部２には、綴じ片を形成するための切り込み１１が形成されており、裏側部３には、円弧状の係止スリット１２が形成されている。また、第１の底面部４の中央には、中央折り線６及び第１の底部側折り線７と平行な方向に延在する底面スリット９が形成されている。一方、第２の底面部５には、底面スリット９に差し込むことができる大きさ及び形状の舌片１０が形成されている。
【００１４】
これらのうち、表側部２に形成されている切り込み１１は、厚紙の厚さ方向へ貫通しており、図２に示すように、始端部１３、終端部１４、二本の直線状部１５，１６、及び、先端部１７とによって構成されている。これらのうち、始端部１３及び終端部１４は、中央折り線６（図１参照）の近傍位置において形成され、直線状部１５，１６は、始端部１３及び終端部１４のそれぞれから、所定の間隔を置いて平行に延在している。先端部１７は、円弧状に形成され、直線状部１５，１６の間隔寸法Ｃよりも大きな横幅寸法Ｄに設定されている。
【００１５】
また、裏側部３に形成されている係止スリット１２も、厚紙の厚さ方向へ貫通しており、図３に示すように、始端部１８、終端部１９、円弧状部２０、及び、延長部２１とによって構成されている。円弧状部２０は、始端部１８及び終端部１９を基点として中央折り線６（図１参照）側に形成されており、延長部２１は、円弧状部２０の中間位置において、所定の幅寸法の範囲が、中央折り線６側へ矩形状に張り出したような形状となっている。尚、この延長部２１の横幅寸法Ｅは、図２に示す直線状部１５，１６の間隔寸法Ｃよりも僅かに大きい値に設定されている。
【００１６】
ここで、図１に示した冊子用台紙１を折り曲げて、卓上カレンダーを組み立てる方法について簡単に説明すると、まず、図１に示す中央折り線６、第１の底部側折り線７、及び、第２の底部側折り線８をいずれも山折りし、図４に示すように第１の底面部４の下側に第２の底面部５を重ね合わせる。このとき、図１に示す底面スリット９に舌片１０を差し込み、これにより、第１の底面部４と第２の底面部５とが重なった状態を維持させ、冊子用台紙１が自立可能な状態とする。
【００１７】
次に、表側部２に形成されている切り込み１１の内側の部分を、綴じ片用折り線２２（図２に示す始端部１３と終端部１４とを結ぶ線）を基端として外側（表側部２の前面側）へ突出させて綴じ片２３を形成し、その先端側を、複数枚のカレンダー紙葉２４の綴じ穴２５内へ挿通させる。
【００１８】
次に、中央折り線６の上方において綴じ片２３をリング状に湾曲させ、図５に示すように、綴じ片２３の円弧状先端部２３ａを、裏側部３の係止スリット１２から台紙１の裏側へ差し込む。そして、円弧状先端部２３ａの全体が台紙１の裏側へ差し込まれたら、綴じ片２３を、差し込み方向とは反対の方向へ僅かに引き戻す。ここで、綴じ片２３の直線状中間部２３ｂ（綴じ片２３の中間部分であって、図２に示す直線状部１５，１６の間の部分）の横幅寸法は、直線状部１５，１６の間隔寸法Ｃと等しい大きさであるところ、係止スリット１２の延長部２１の横幅寸法Ｅは、直線状部１５，１６の間隔寸法Ｃよりも大きいため、円弧状先端部２３ａの全体が台紙１の裏側へ差し込まれた状態から綴じ片２３を僅かに引き戻すと、綴じ片２３の直線状中間部２３ｂは、延長部２１の下側の溝内に嵌り込むことになり、この状態で、係止スリット１２の内側の部分（フラップ２６）によって上方から押さえつけられることになる。
【００１９】
このため綴じ片２３は、直線状中間部２３ｂが延長部２１の溝内に嵌り込んだ状態で安定的に保持されることになり、側方への移動が規制されて、脱落が好適に防止されることになる。
【００２０】
尚、ここでは、本考案の実施形態として、冊子用台紙を卓上カレンダー用台紙に適用した例について説明したが、本考案の冊子用台紙は、卓上カレンダー用台紙に限定されるものではなく、他の冊子（例えば、ノートなど）に用いられる台紙に適用することもできる。また、本考案の冊子用台紙１の表側部２は、裏側部３と入れ替えることもできる。即ち、裏側部３に、綴じ片２３を形成するための切り込み１１を形成し、表側部２に係止スリット１２を形成してもよい。
【符号の説明】
【００２１】
１：冊子用台紙、
２：表側部、
３：裏側部、
４：第１の底面部、
５：第２の底面部、
６：中央折り線、
７：第１の底部側折り線、
８：第２の底部側折り線
９：底面スリット、
１０：舌片、
１１：切り込み、
１２：係止スリット、
１３：始端部、
１４：終端部、
１５，１６：直線状部、
１７：先端部、
１８：始端部、
１９：終端部、
２０：円弧状部、
２１：延長部、
２２：綴じ片用折り線、
２３：綴じ片、
２３ａ：円弧状先端部、
２３ｂ：直線状中間部、
２４：カレンダー紙葉、
２５：綴じ穴、
２６：フラップ、
５３：綴じ片、
６２：係止スリット、
６８：始端部、
６９ａ，６９ｂ：側方張出部分
【図１】
0003162658.tif 000003
【図２】
0003162658.tif 000004
【図３】
0003162658.tif 000005
【図４】
0003162658.tif 000006
【図５】
0003162658.tif 000007
【図６】
0003162658.tif 000008
【図７】
0003162658.tif 000009